(57)【要約】【課題】保護管の固定解除及び固定作業を簡易に行えるようにする。【解決手段】配管の継手部Ｊが収納可能である収納室２を有する水栓ボックス本体１と、この水栓ボックス本体の前面に設けてあって、内周部に固定リングの雄ねじと結合可能である雌ねじ３ａを形成してあると共に、継手部Ｊの先端部が挿入可能である開口部３と、水栓ボックス本体１の底部に突出されかつ収納室２に連なっている取付け筒体６と、この取付け筒体にその外側で上下動可能に嵌合している可動筒体７と、この可動筒体と取付け筒体との間に配置され、可動筒体７と取付け筒体６との協働により取付け筒体６内に挿入しているさや管Ｐ１を固定可能である止め具８とからなる。【選択図】        図２
2004169345.tif 000002
【特許請求の範囲】
【請求項１】
配管の継手部が収納可能である収納室を有する水栓ボックス本体と、
この水栓ボックス本体の前面に設けてあって、内周部に固定リングの雄ねじと結合可能である雌ねじを形成してあると共に、上記継手部が挿入可能である開口部と、
上記水栓ボックス本体の底部に設けてあり、上記収納室と連なっている取付け筒体と、
この取付け筒体に上下動可能に嵌合している可動筒体と、
この可動筒体と取付け筒体との間に配置されており、上記可動筒体と取付け筒体と協働により動作可能である止め具と
を具備しており、
上記止め具は上記取付け筒体内を挿入する保護管を固定可能である
ことを特徴とする水栓ボックス。
【請求項２】
止め具はばね片からなることを特徴とする請求項１記載の水栓ボックス。
【請求項３】
止め具は、取付け筒体に設けられている支点部を支点として内外側に揺動可能であり、かつその上部が取付け筒体内の保護管を押圧可能であることを特徴とする請求項１又は請求項２記載の水栓ボックス。
【発明の詳細な説明】
【０００１】
【発明の属する技術分野】
この発明は、水道管や給湯管などの配管の継手部が収納される水栓ボックスに関するものである。
【０００２】
【従来の技術】
給水管、給湯管などの流体管の継手部を収納するための配管ボックスとして、例えば実公平７−５９０号公報及び特許第３１９３８５８号特許公報に記載された配管ボックスが提案されている。前者の配管ボックスは壁裏に設置された柱に取り付けられるものであり、その前面に固定リングがねじによって結合される開口部を形成し、上部に取付け孔を開けて、この取付け孔を通じて上記柱の取付け面に斜め前方からボルトを挿入するものである。そして配管ボックスの下部には、流体管を挿入するための波付きさや管の取付け手段を設けてある。取付け手段について説明すると、配管ボックスの底部にさや管の筒状取付け部を設けてあり、この取付け部の外周に切込みを設けて、この切込みへは上記取付け部とは別体のＵ字状の止め金具が挿入され、取付け部内に挿入された波付きさや管を抜け止め状態に取り付けるようになっている。
後者の配管ボックスは壁裏に配置されてこの壁に固定されるものであり、その構成は前者の配管ボックスと同様であるが、波付きさや管の取付け手段が相違している。後者の配管ボックスではその下部に円筒状の取付け口が一体的に設けられていて、この取付け口にさや管が挿入され、コネクタを介して取付け口に固定されている。そして後者の配管ボックスの固定リング螺着口（開口部）は、通常の三角（台形）ねじではなくのこ刃状の雌ねじが用いられている。
【０００３】
【発明が解決しようとする課題】
前者の従来例によると、さや管の取付け手段として水栓ボックスとは独立した止め金具を用いているので、工事途中でさや管の固定を解除する場合の解除固定作業に手間がかかる課題があった。
後者の従来例によると、さや管の取付け手段として、円筒状の取付け口に筒状のコネクタを取り付けるものであり、さや管固定後にさや管の固定を解除する必要が生じた場合にはコネクタが壁に強く押し付けられているために回転がしにくく、解除固定作業に手間がかかる課題があった。
なお、後者の従来例では、固定リング螺着口のねじはのこ刃状の雌ねじにあるために、固定リング螺着口をプラスチック部材で成形する場合には、雌ねじの強度が出ず、固定リングと固定リング螺着口との大きな結合力を得るためには改善が必要であった。そして前者の従来例では、取付け孔を斜めに成形することはその分構造が複雑となる課題があった。
この発明の目的は、保護管の固定解除及び固定作業を簡易に行えるようにすることにある。
【０００４】
【課題を解決するための手段】
この発明の水栓ボックスは、配管の継手部が収納可能である収納室を有する水栓ボックス本体と、この水栓ボックス本体の前面に設けてあって、内周部に固定リングの雄ねじと結合可能である雌ねじを形成してあると共に、上記継手部が挿入可能である開口部と、上記水栓ボックス本体の底部に設けてある取付け手段とを具備しているものである。この取付け手段は、上記収納室と連なっている取付け筒体と、この取付け筒体に上下動可能に嵌合している可動筒体と、この可動筒体と取付け筒体との間に配置されており、上記可動筒体と取付け筒体と協働により動作可能である止め具とからなるものである。上記止め具はばね片などで構成されており、上記取付け筒体内を挿入する上記保護管を固定可能である。
【０００５】
【発明の実施の形態】
この発明に係る水栓ボックスを図面を参照して説明する。
図１〜図５に示す水栓ボックス本体１は、内部に配管の継手部Ｊが収納可能である収納室２を有している。水栓ボックス本体１の前面には継手部Ｊを挿入することができる開口部３を設けてある。開口部３は、図４〜図６に示すように、内周部に固定リング４の雄ねじ４ａと結合可能である雌ねじ３ａを形成してある。雌ねじ３ａ及び雄ねじ４ａは台形ねじとなっている。固定リング４は継手部Ｊの先端部を固定するものである。
水栓ボックス本体１の上下の両側部には、奥行き方向（図２左右方向）に長い長孔状の取付け孔５を上記奥行き方向と交差する方向に設けてある。水栓ボックス本体１は、各取付け孔５に挿入したボルトなどの固定部材によって壁などに固定される。
【０００６】
図１〜図４に示すように水栓ボックス本体１の底部には、給水管などの配管Ｐの保護管である波付きさや管Ｐ１の取付け手段を設けてある。取付け手段は取付け筒体６、可動筒体７及び止め具８からなる。
図３及び図４並びに図７〜図１０を参照して取付け筒体６について説明する。取付け筒体６は水栓ボックス本体１の底部から突出されており、この取付け筒体は収納室２と連なっている（図２）。取付け筒体６はその内部にさや管Ｐ１が挿入可能である。取付け筒体６の外周面に位置決め溝６ａを設けてある。取付け筒体６の外周面には位置決め溝６ａの上側に対の支点部６ｂ，６ｂを対向的に設けてある（図９）。図３に示すように、各支点部６ｂ，６ｂを挟んでその両側に保持孔６ｃ，６ｃを貫通状態に設けてある。取付け筒体６の外周面には各支点部６ｂ，６ｂの真上に貫通孔６ｄ，６ｄが開けられている（図１０）。
可動筒体７は図１１及び図１２に示すように、その内周面に対の規制リブ７ａを円周方向にかつ対向位置関係に設けてある。可動筒体７の外周部にはつば７ｂを設けてある。可動筒体７の内周面に対向して保持リブ７ｃを設けてある。
止め具８は図１３及び図１４に示すように、ばね片で形成されており、その基部の両側に保持片８ａが内側に折り曲げられ、上部８ｂは内側に向けて「く」の字状に屈曲されている。
【０００７】
取付け筒体６、可動筒体７及び止め具８の相互関係について説明する。
可動筒体７は図１及び図２に示すように取付け筒体６に嵌合されており、この取付け筒体に対して上下動可能である。図７及び図８に示すように、可動筒体７の規制リブ７ａは取付け筒体６の位置決め溝６ａ内を上下移動可能であり、この位置決め溝と規制リブ７ａとにより、可動筒体の移動距離が規制される。可動筒体７は、その外周部のつば７ｂを持って上下に操作することにより、位置決め溝６ａ幅分移動することができる。
止め具８は図７及び図８に示すように、取付け筒体６と可動筒体７との間に対向位置関係に配置されており、さや管Ｐ１を挟むようにして取付け筒体６に固定可能である。各止め具８の保持片８ａは取付け筒体６の支点部６ｂ，６ｂを挟んで設けられている保持孔６ｃ，６ｃに差し込まれており、上部８ｂが貫通孔６ｄ，６ｄ内に位置している。止め具８の中央部は背部側から可動筒体７の内周面の保持リブ７ｃによって支点部６ｂ，６ｂに押さえられた状態で取付け筒体６に取り付けられている。止め具８は支点部６ｂ，６ｂを支点としてシーソーのように両端部が内外（図７左右）へ揺動可能であり、このために取付け筒体６の貫通孔６ｄ，６ｄから取付け筒体内に進入可能である。
【０００８】
水栓ボックスは壁裏に配置され、壁又は柱などに取付け孔５にボルトを通して固定する。固定する際に、取付け孔５が長孔状であるために、ボルトが水平方向に移動できるので、水栓ボックスの配置位置に応じてボルトの方向を自在に設定することができる。
取付け筒体６内を経て水栓ボックス本体１内に配管Ｐの継手部Ｊを収納してから、さや管Ｐ１を固定するには、可動筒体７を図７の位置から図８の位置までつば７ｂを使って上昇させる。この操作によって、可動筒体７の保持リブ７ｃが上昇し、止め具８は支点部６ｂを支点として上部８ｂが内側に移動するために、取付け筒体６内のさや管は上部８ｂによって両側から押圧される。この押圧操作によってさや管は取付け筒体６に固定され、取付け筒体から下方へ抜け出ることが防止される。
さや管Ｐ１の固定を解除する必要が生じた場合には、上記操作とは逆の操作を行う。このような操作によって、可動筒体７は図７の位置に戻り、止め具８の上部８ｂが貫通孔６ｄ内に納まって、上部８ｂの押圧が解除されるから、さや管Ｐ１は可動筒体７から下方に移動することができる。
【０００９】
開口部３の雌ねじ３ａ及び固定リング４の雄ねじ４ａは台形ねじを使用しているので、これらの材質がプラスチック部材であっても両者の大きな結合力が得られる。もちろん、ねじの構成は台形ねじに限定されない。
さや管Ｐ１の取付け手段に関して、取付け筒体６を内側に可動筒体７を外側に配置しても良く、図２に示す例に限られない。そして可動筒体７の上下操作によって止め具８がさや管Ｐ１を押圧固定するのであるが、止め具８の構成は図示する例に限られない。
【００１０】
【発明の効果】
この発明の水栓ボックスによれば、簡単な構成で従来例に比較して配管の保護管を簡易に固定又は固定解除をすることができる。
【図面の簡単な説明】
【図１】この発明の水栓ボックスを示す一部切欠正面図である。
【図２】図１のＩＩ−ＩＩ線断面図である。
【図３】この発明の水栓ボックスを示す背面図である。
【図４】この発明の水栓ボックスを示す斜視図であって、取付け筒体から可動筒体を外した状態を示す図である。
【図５】固定リングと開口部とのねじによる結合部分の主要部を示す拡大図である。
【図６】固定リングの拡大縦断面図である。
【図７】取付け筒体に対して開放位置にある可動筒体を示す拡大断面図である。
【図８】取付け筒体に対して固定位置にある可動筒体を示す拡大断面図である。
【図９】図３のＩＸ−ＩＸ線拡大断面図である。
【図１０】図３のＸ−Ｘ線拡大断面図である。
【図１１】可動筒体の拡大底面図である。
【図１２】図１１のＸＩＩ−ＸＩＩ線断面図である。
【図１３】止め具の拡大正面図である。
【図１４】図１３のＸＩＶ−ＸＩＶ線断面図である。
【符号の説明】
１                水栓ボックス本体
２                収納室
３                開口部
３ａ              雌ねじ
４                固定リング
４ａ              雄ねじ
５                取付け孔
６                取付け筒体
６ａ              位置決め溝
６ｂ              支点部
６ｃ              保持孔
６ｄ              貫通孔
７                可動筒体
７ａ              規制リブ
７ｂ              つば
７ｃ              保持リブ
８                止め具
８ｂ              止め具の上部
Ｊ                継手部
Ｐ                配管
Ｐ１              さや管（保護管）
【図１】
2004169345.tif 000003
【図２】
2004169345.tif 000004
【図３】
2004169345.tif 000005
【図４】
2004169345.tif 000006
【図５】
2004169345.tif 000007
【図６】
2004169345.tif 000008
【図７】
2004169345.tif 000009
【図８】
2004169345.tif 000010
【図９】
2004169345.tif 000011
【図１０】
2004169345.tif 000012
【図１１】
2004169345.tif 000013
【図１２】
2004169345.tif 000014
【図１３】
2004169345.tif 000015
【図１４】
2004169345.tif 000016